(57)【要約】【課題】カードの横ずれを防止し、信頼性の高い電磁リレーを提供する。【解決手段】ベース２に係合するように、可動端子２４、固定端子２５、電磁石部２１、および接極子の外側を覆うカバー５を具備し、カード３またはカバー５が横ずれ防止機能部を備える。この横ずれ防止機能部はカードまたはカバー内壁に形成されたリブ５１ａ、５１ｂである。これにより、可動接点の横ずれが防止される。【選択図】図１
2012074138.tif 000002
【特許請求の範囲】
【請求項１】
絶縁性部材で形成されたベースに立設され、可動接点を有する可動端子と、
固定接点を有し、該固定接点が前記可動端子の可動接点と対向させて前記ベースに立設された固定端子と、
前記可動端子から離間し、前記ベースに立設された電磁石部と、
前記電磁石部に通電することで接離する接極子と、
前記可動端子と前記接極子との間に位置し、前記接極子の運動を前記可動端子に伝達するカードと、を具備する電磁リレーであって、
前記ベースに係合するように、前記可動端子、前記固定端子、前記電磁石部、および前記接極子の外側を覆うカバーを具備し、
前記カードまたは前記カバーが、前記カードの横ずれを防止する横ずれ防止機能部を備えた電磁リレー。
【請求項２】
請求項１に記載の電磁リレーであって、
前記横ずれ防止機能部は、前記カバー内壁に形成された横ずれ防止リブである電磁リレー。
【請求項３】
請求項１に記載の電磁リレーであって、
前記横ずれ防止機能部は、前記カバー内壁に対向するように前記カードの両側面に設けられたリブである電磁リレー。
【請求項４】
請求項１乃至請求項３のいずれか１項に記載の電磁リレーであって、
前記横ずれ防止機能部は、前記カードまたは前記可動端子のいずれか一方が他方を幅方向から挟んで横ずれを防止する係止部を構成する電磁リレー。
【請求項５】
請求項１乃至請求項３のいずれか１項に記載の電磁リレーであって、
前記横ずれ防止機能部は、前記カードまたは前記可動端子のいずれかの表面に設けられた凹部と、前記凹部内を摺動するように他方の表面に設けられた凸部とを具備した電磁リレー。
【請求項６】
請求項３項に記載の電磁リレーであって、
前記カードは、
ベースにて前記接極子及び前記可動端子の方向に支承され、前記接極子と接触する第１の圧接点を有するとともに、前記第１の圧接点から離間した位置で前記可動端子と接触する第２の圧接点を有し、
支軸と、前記支軸上の一点から前記第１の圧接点に向けて前記支軸に対して垂直な方向に伸張する第１の枝部と、前記支軸上の他の一点から前記第２の圧接点に向けて前記支軸に対して垂直な方向に伸張する第２の枝部と、
前記支軸の少なくとも一部を含み前記第１の圧接点及び前記第２の圧接点を結ぶ第１及び第２の梁部とを具備し、
前記横ずれ防止リブは、前記カードの支軸を含む面に形成された電磁リレー。
【請求項７】
請求項３項に記載の電磁リレーであって、
前記カードは、
ベースにて前記接極子及び前記可動端子の方向に支承され、前記接極子と接触する第１の圧接点を有するとともに、前記第１の圧接点から離間した位置で前記可動端子と接触する第２の圧接点を有し、
支軸と前記支軸上の一点から前記第１の圧接点に向けて前記支軸に対して垂直な方向に伸張する第１の枝部と、前記支軸上の他の一点から前記第２の圧接点に向けて前記支軸に対して垂直な方向に伸張する第２の枝部と
前記支軸の少なくとも一部を含み前記第１の圧接点及び前記第２の圧接点を結ぶ第１及び第２の梁部とを具備し、
前記横ずれ防止リブは、前記カードの前記第２の枝部上に形成された電磁リレー。
【発明の詳細な説明】
【技術分野】
【０００１】
本発明は、電磁リレーに係り、特に電磁リレーにおけるカードの横ずれ防止構造に関する。
【背景技術】
【０００２】
電磁リレーのひとつに、絶縁性部材にて形成されたベースに、電磁石部、接極子、カード、可動端子及び固定端子が並列に設けられた構造が提案されている。この電磁リレーとして、例えば特許文献１に記載されたものが知られている。図１７は、従来の電磁リレーに示す側面図である。同図に示すように、電磁リレー１０は、樹脂等の絶縁性部材にて方形状に形成されたベース２０に、電磁石部２１、接極子２２、カード２３、可動端子２４及び固定端子２５が並列に設けられたものである。電磁石部２１は、ヨーク２１ａと、ヨーク２１ａに固定したコイル２１ｂとから構成される。電磁石部２１に通電することで電磁力を発生し、接極子２２を吸着する。
【０００３】
接極子２２は、略く字状に形成されており、中央部２２ａが電磁石部２１の上端のヨーク２１ａ側で支承されている。また、接極子２２は、図示せぬヒンジバネによって電磁石部２１に固定されている。図１７は、電磁石部２１に通電を行っていないときの状態を示している。この状態では、接極子２２は、先端部２２ｂがカード２３に接触した状態で停止しているが、電磁石部２１に通電が行われると、基端部２２ｃが電磁石２１に吸着されるので中央部２２ａを中心に回動する。電磁石部２１への通電が行われなくなると、接極子２２はヒンジバネによって元の状態に戻る。すなわち、接極子２２の先端部２２ｂがカード２３に接触した状態に戻る。
【０００４】
カード２３は、支軸２３ｂと、第１の枝部２３ｄと、第２の枝部２３ｆとから構成される。支軸２３ｂは、ベース２０に回動自在に支承された下端部２３ａから伸張する部分である、第１の枝部２３ｄは、支軸２３ｂ上の一点から接極子２２に接触する第１の圧接点２３ｃに向けて支軸２３ｂに対して垂直な方向に伸張する部分である。第２の枝部２３ｆは、支軸２３ｂ上の他の一点から可動端子２４に接触する第２の圧接点２３ｅに向けて支軸２３ｂに対して垂直な方向に伸張する部分である。カード２３は、ベース２０の軸受け部２０ａで接極子２２及び可動端子２４の可動接点２４ａの方向へ回動自在に支承されており、接極子２２の回動に連動して回動し、可動端子２４の可動接点２４ａを固定端子２５の固定接点２５ａに接触させる。
【先行技術文献】
【特許文献】
【０００５】
【特許文献１】実開平６−０１９２５０号公報
【発明の概要】
【発明が解決しようとする課題】
【０００６】
上述した従来の電磁リレー１０は、カード２３の可動端子２４を押す第２の圧接点２３ｅが、接極子２２と接触する第１の圧接点２３ｃよりも上方にあり、カード２３が下端を中心に回動して可動端子２４の可動接点２４ａと固定端子２５の固定接点２５ａをオン・オフするようにしている。しかしながら、このような構造では次のような課題が生ずる。すなわち、可動端子２４の可動接点２４ａと固定端子２５の固定接点２５ａをオン・オフする際、カードが横ずれしてしまうと、接圧すなわち接点を押し込む力が変化してしまう。この結果、特性が変化する。そこで、接極子側の横ずれは接極子２２の穴とカード２３のリブによって防止しているが、可動端子ブロック側の横ずれはスムーズに可動端子ブロックを押すため、規制しておらず、横ずれが発生しやすいという問題があった。
【０００７】
本発明は前記実情に鑑みてなされたものであり、カードの横ずれを防止し、信頼性の高い電磁リレーを提供することを目的とする。
【課題を解決するための手段】
【０００８】
本発明は、絶縁性部材で形成されたベースに立設され、可動接点を有する可動端子と、固定接点を有し、該固定接点が前記可動端子の可動接点と対向させて前記ベースに立設された固定端子と、前記可動端子から離間し、前記ベースに立設された電磁石部と、前記電磁石部の先端に支点を有しており、前記電磁石部に通電することで接離する接極子と、前記可動端子と前記接極子との間に位置し、前記接極子の運動を前記可動端子に伝達する電磁リレーであって、前記ベースに係合するように、前記可動端子、前記固定端子、前記電磁石部、および前記接極子の外側を覆うカバーを具備し、前記カードまたは前記カバーが、前記カードの横ずれを防止する横ずれ防止機能部を備えたことを特徴とする。
【０００９】
また、本発明は、上記電磁リレーであって、前記横ずれ防止機能部は、前記カバー内壁に形成された横ずれ防止リブであるものを含む。
【００１０】
また、本発明は、上記電磁リレーであって、前記横ずれ防止機能部は、前記カバー内壁に対向するように前記カードの両側面に設けられたリブであるものを含む。
【００１１】
また、本発明は、上記電磁リレーであって、前記横ずれ防止機能部は、前記カードまたは前記可動端子のいずれか１方が他方を幅方向から挟んで横ずれを防止する係止部を構成するものを含む。
【００１２】
また、本発明は、上記電磁リレーであって、前記横ずれ防止機能部は、前記カードまたは前記可動端子のいずれかの表面に設けられた凹部と、前記凹部内を摺動するように他方の表面に設けられた凸部とを具備したものを含む。
【００１３】
また、本発明は、上記電磁リレーであって、前記カードは、ベースにて前記接極子及び前記可動端子の方向に支承され、前記接極子と接触する第１の圧接点を有するとともに、前記第１の圧接点から離間した位置で前記可動端子と接触する第２の圧接点を有し、支軸と、前記支軸上の一点から前記第１の圧接点に向けて前記支軸に対して垂直な方向に伸張する第１の枝部と、前記支軸上の他の一点から前記第２の圧接点に向けて前記支軸に対して垂直な方向に伸張する第２の枝部と、前記支軸の少なくとも一部を含み前記支点から前記第１の圧接点及び前記第２の圧接点を結ぶ第１及び第２の梁部とを具備し、前記横ずれ防止リブは、前記カードの支軸を含む面に形成されたものを含む。
【００１４】
また、本発明は、上記電磁リレーであって、前記カードは、ベースにて前記接極子及び前記可動端子の方向に支承され、前記接極子と接触する第１の圧接点を有するとともに、前記第１の圧接点から離間した位置で前記可動端子と接触する第２の圧接点を有し、支軸と、前記支軸上の一点から前記第１の圧接点に向けて前記支軸に対して垂直な方向に伸張する第１の枝部と、前記支軸上の他の一点から前記第２の圧接点に向けて前記支軸に対して垂直な方向に伸張する第２の枝部と、前記支軸の少なくとも一部を含み前記支点から前記第１の圧接点及び前記第２の圧接点を結ぶ第１及び第２の梁部とを具備し、前記横ずれ防止リブは、前記カードの前記第２の枝部上に形成されたものを含む。
【発明の効果】
【００１５】
この構成によれば、ベースに係合するように、可動端子、固定端子、電磁石部、および接極子の外側を覆うカバーを具備し、カードまたはカバーが横ずれ防止機能部を備えたので、接極子の横ずれを防止することができる。
【図面の簡単な説明】
【００１６】
【図１】本発明の実施の形態１の電磁リレーを示す側面図
【図２】本発明の実施の形態１の電磁リレーのカードの横ずれ防止構造を示す斜視図
【図３】本発明の実施の形態１の電磁リレーのカードの横ずれ防止構造を示す上面図
【図４】本発明の実施の形態１の電磁リレーのカードを示す斜視図
【図５】本発明の実施の形態１の電磁リレーのカードの横ずれ状態を示す説明図
【図６】本発明の実施の形態２の電磁リレーの横ずれ防止構造を示す側面図
【図７】本発明の実施の形態２の電磁リレーのカードを示す斜視図
【図８】本発明の実施の形態２の電磁リレーのカードの横ずれ防止構造を示す斜視図
【図９】本発明の実施の形態３の電磁リレーの横ずれ防止構造を示す側面図
【図１０】本発明の実施の形態３の電磁リレーのカードを示す斜視図
【図１１】本発明の実施の形態３の電磁リレーのカードの横ずれ防止構造を示す斜視図
【図１２】本発明の実施の形態４の電磁リレーの横ずれ防止構造を示す斜視図
【図１３】本発明の実施の形態４の電磁リレーのカードを示す斜視図
【図１４】本発明の実施の形態５の電磁リレーのカードの横ずれ防止構造を示す斜視図
【図１５】本発明の実施の形態５の電磁リレーのカードを示す斜視図
【図１６】本発明の実施の形態５の電磁リレーの可動端子を示す斜視図
【図１７】従来例の電磁リレーを示す側面図
【発明を実施するための形態】
【００１７】
以下、本発明の実施の形態について、図面を参照しつつ詳細に説明する。
【００１８】
（実施の形態１）
図１は、本発明の実施の形態１の電磁リレーを示す側面図である。図２は同電磁リレーのカバーによるカードの横ずれ防止構造を示す斜視図である。図３は同電磁リレーのカバーによるカードの横ずれ防止構造を示す上面図である。図４は同電磁リレーのカードを示す斜視図である。図５は同電磁リレーのカードの横ずれ状態を示す説明図である。なお、図において前述した図１７と共通する部分には同一の符号を付している。
【００１９】
図１乃至５に示すように、本実施の形態の電磁リレーは、ベース２に係合するように、記可動端子、固定端子、電磁石部、および接極子の外側を覆うカバー５を具備し、このカバーが横ずれ防止機能部を備えたことを特徴とする。この横ずれ防止機能部は、カード３の設置位置に対応してカバー内壁の相対向する位置に形成された横ずれ防止リブ５１ａ、５１ｂである。電磁石部２１、接極子２２、可動端子２４及び固定端子２５の各部材など他部については前述した図１７に示した電磁リレーと同様、通常の電磁リレー１０の各部材と同一のものであるので、説明を省略する。
【００２０】
本実施の形態の電磁リレー１は、電磁石部２１と、接極子２２と、ベース２と、カード３と、可動端子２４と、固定端子２５とを備える。カバー５はベースと係合するように設けられたエポキシ樹脂の成型品で構成されている。
【００２１】
ベース２は、従来の電磁リレー１０のベース２０と同様に樹脂等の絶縁性部材にて方形状に形成されている。このベース２に、電磁石部２１、カード３、可動端子２４及び固定端子２５が並列に立設される。特に、ベース２のカード３を支承するカード支承部２ａは、カード３の下端部（支点）３ａを回動自在でかつ水平方向に前後移動可能とする両端円弧状の長方形空間として形成されている。カード３の詳細は後述するが、図４の斜視図に示すように、カード３の下端部３ａが２分割され、それぞれ水平方向に靴底状に突出したキック部をなすように形成されている。この下端部３ａがベース２のカード支承部２ａに収容される。
【００２２】
カード３の下端部３ａは、カード支承部２ａで回動自在でかつ水平方向に前後移動可能に支承される。カード支承部２ａの水平方向の長さが、可動端子２４の可動接点２４ａと固定端子２５の固定接点２５ａ間の距離を超える大きさとなっており、カード３の水平方向の移動距離を可動接点２４ａと固定接点２５ａ間の距離以上となるようにしている。
【００２３】
カード３は、ベース２上の接極子２２と可動端子２４との間に位置し、ベース２にて接極子２２及び可動端子２４の方向へ回動自在に支承される。図４は、カード３の概観を示す図である。同図において、カード３は、前述した下端部３ａから伸張する支軸３ｂの他に、第１の枝部３ｄと、第２の枝部３ｆと、梁部３ｇ及び梁部３ｈとを備える。第１の枝部３ｄは、支軸３ｂ上の一点から第１の圧接点３ｃに向けて支軸３ｂに対して垂直方向に伸張されたものである。第２の枝部３ｆは、支軸３ｂ上の他の一点から第２の圧接点３ｅに向けて支軸３ｂに対して垂直方向に伸張されたものである。梁部３ｇは、支軸３ｂを含み下端部３ａから第１の圧接点３ｃを結ぶ三角形状を成すものである。梁部３ｈは、支軸３ｂを含み下端部３ａから第２の圧接点３ｅを結ぶ三角形状を成すものである。本実施の形態の電磁リレー１のカード３は、図１７に示した従来の電磁リレー１０のカード２３と比べて梁部３ｇ、３ｈを有している分、機械的強度が大きく、撓み難くなっている。ちなみに、この梁部３ｇ、３ｈがない場合、動作時に、撓みが生じ、接点位置がずれ、良好なオン・オフ動作ができなくなることがある。
【００２４】
このように、本実施の形態の電磁リレー１によれば、カバーが横ずれ防止機能部を備えたので、カバーによってカードの横ずれが防止され、その結果、接極子及び可動端子の横ずれを防止することができる。また、カード３をベース２に対して回動自在でかつ水平方向に前後移動可能に支承するとともに、カード３の第１の枝部３ｄの先端の接極子２２と接触する当接面３ｉに対し、接極子２２が略水平にカード３を押すことができ、可動端子２４の可動接点２４ａと固定端子２５の固定接点２５ａを略全面で接触させることができる。
【００２５】
（実施の形態２）
次に本発明の実施の形態２の電磁リレーについて説明する。
図６は、本発明の実施の形態２の電磁リレーを示す側面図である。図７は同電磁リレーのカードを示す斜視図である。図８は同電磁リレーのカバーによるカードの横ずれ防止構造を示す斜視図である。なお、図において実施の形態１に示した図１乃至５と共通する部分には同一の符号を付している。
【００２６】
図６乃至８に示すように、本実施の形態の電磁リレーは、横ずれ防止機能部として、カード３の支軸３ｂと第２の枝部３ｆとの境界近傍に外方に突出するリブ３１ａ、３１ｂを設けたことを特徴とするものである。このリブ３１ａ、３１ｂがカバーの内壁に当接することで横ずれを防止することができる。電磁石部２１、接極子２２、可動端子２４及び固定端子２５の各部材など他部については前述した実施の形態１の電磁リレーと同様である。
【００２７】
（実施の形態３）
次に本発明の実施の形態３の電磁リレーについて説明する。
図９は、本発明の実施の形態３の電磁リレーを示す側面図である。図１０は同電磁リレーのカードを示す斜視図である。図１１は同電磁リレーのカバーによるカードの横ずれ防止構造を示す斜視図である。なお、図において実施の形態２に示した図６乃至８と共通する部分には同一の符号を付している。
【００２８】
図９乃至１１に示すように、本実施の形態の電磁リレーは、横ずれ防止機能部として、カード３の第２の枝部３ｆに外方に突出するリブ３２ａ、３２ｂを設けたことを特徴とするものである。このリブ３２ａ、３２ｂがカバーの内壁に当接することで横ずれを防止することができる。電磁石部２１、接極子２２、可動端子２４及び固定端子２５の各部材など他部については前述した実施の形態１の電磁リレーと同様である。
【００２９】
この構成によれば、よりしっかりとした横ずれ防止が可能となる。
【００３０】
（実施の形態４）
次に本発明の実施の形態４の電磁リレーについて説明する。
図１２は、本発明の実施の形態４の電磁リレーを示す斜視図である。図１３は同電磁リレーのカードを示す斜視図である。なお、図において実施の形態２に示した図６乃至８と共通する部分には同一の符号を付している。
【００３１】
図１２乃至１３に示すように、本実施の形態の電磁リレーは、横ずれ防止機能部として、カード３の第２の枝部３ｆの先端に固定端子２４を側方からコの字状に係止する係止部３３を設けたことを特徴とするものである。この係止部３３が中央の凹部３４に可動端子２４を挟み込むことで横ずれを防止する。電磁石部２１、接極子２２、可動端子２４及び固定端子２５の各部材など他部については前述した実施の形態１の電磁リレーと同様である。
【００３２】
この構成によれば、しっかりとした横ずれ防止が可能となる。なおこの係止部は前記実施の形態１乃至３の横ずれ防止機能部と併用してもよく、併用することでより信頼性を高めることができる。
【００３３】
なお、本実施の形態において、係止部を可動端子２４に設け、この係止部でカードの一部を挟み込むようにしてもよい。
【００３４】
（実施の形態５）
次に本発明の実施の形態５の電磁リレーについて説明する。
図１４は、本発明の実施の形態４の電磁リレーを示す斜視図である。図１５は同電磁リレーのカードを示す斜視図である。図１６は同電磁リレーの可動端子２４を示す斜視図である。なお、図において実施の形態２に示した図６乃至８と共通する部分には同一の符号を付している。
【００３５】
図１４乃至１６に示すように、本実施の形態の電磁リレーは、横ずれ防止機能部として、カード３の第２の枝部３ｆの先端に突起部３５を設け、この突起部３５を可動端子２４に設けた凹部２４Ｒで係止するようにしたことを特徴とするものである。このカードの突起部３５を可動端子２４に設けた凹部２４Ｒに差し込むことでカードの第２の枝部３ｆを可動端子２４に固定することで横ずれを防止する。つまり本実施の形態においてもカードを可動端子２４に固定することで、カードの横ずれを防止する。電磁石部２１、接極子２２、可動端子２４及び固定端子２５の各部材など他部については前述した実施の形態１の電磁リレーと同様である。
【００３６】
この構成によれば、よりしっかりとした横ずれ防止が可能となる。なおこの係止部についても前記実施の形態１乃至３の横ずれ防止機能部と併用してもよく、併用することでより信頼性を高めることができる。
【００３７】
なお、本実施の形態において、突起部を可動端子２４に設け、カードに設けた凹部で可動端子の突起部を係止するようにしてもよい。
なお、第１及び第２の梁部は、支軸を含む面であってもよいし、支軸の少なくとも一部を含み、それぞれ第１及び第２の圧接点に向けて伸張する線状部材であってもよい。
【符号の説明】
【００３８】
１  電磁リレー
２  ベース
２ａ  カード支承部
３  カード
３ａ  下端部
３ｂ  支軸
３ｃ  第１の圧接点
３ｄ  第１の枝部
３ｅ  第２の圧接点
３ｆ  第２の枝部
３ｇ、３ｈ  梁部
３ｉ  当接面
２１  電磁石部
２１ａ  ヨーク
２１ｂ  コイル
２２  接極子
２２ａ  中央部
２２ｂ  先端部
２２ｃ  基端部
２４  可動端子
２４ａ  可動接点
２５  固定端子
２５ａ  固定接点
２４Ｒ  凹部
５  カバー
５１ａ、５１ｂ  横ずれ防止リブ
３１ａ、３１ｂ、３２ａ、３２ｂ  リブ
３３  係止部
３４  凹部
３５  突起部
【図１】
2012074138.tif 000003
【図２】
2012074138.tif 000004
【図３】
2012074138.tif 000005
【図４】
2012074138.tif 000006
【図５】
2012074138.tif 000007
【図６】
2012074138.tif 000008
【図７】
2012074138.tif 000009
【図８】
2012074138.tif 000010
【図９】
2012074138.tif 000011
【図１０】
2012074138.tif 000012
【図１１】
2012074138.tif 000013
【図１２】
2012074138.tif 000014
【図１３】
2012074138.tif 000015
【図１４】
2012074138.tif 000016
【図１５】
2012074138.tif 000017
【図１６】
2012074138.tif 000018
【図１７】
2012074138.tif 000019